(57)【特許請求の範囲】
【請求項１】
ユーザ端末にて設定されたテーマに関連付けて、前記ユーザ端末から送信される動画を受け付ける動画受付手段と、
前記動画の付帯情報を取得する付帯情報取得手段と、
同一のテーマと関連付けられた全動画の中から、所定の条件を満たす前記付帯情報を有する動画を抽出する動画抽出手段と、
前記動画抽出手段により抽出された動画の連続動画を提供する動画提供手段と、
を有し、
前記付帯情報は、前記動画の撮影日時の情報を含み、
前記動画抽出手段は、前記全動画の中から、実況イベントと該実況イベントの発生日時とを含むテキスト実況情報に基づいて、前記実況イベントの発生日時と一致する撮影日時に撮影された動画を抽出し、
前記動画提供手段は、前記動画抽出手段により抽出された動画に、該動画の撮影日時と一致した発生日時の前記実況イベントとを対応付けて、該実況イベントを表示することを特徴とする情報処理装置。
【請求項２】
ユーザ端末にて設定されたテーマに関連付けて、前記ユーザ端末から送信される動画を受け付ける動画受付手段と、
前記動画の付帯情報を取得する付帯情報取得手段と、
同一のテーマと関連付けられた全動画の中から、所定の条件を満たす前記付帯情報を有する動画を抽出する動画抽出手段と、
前記動画抽出手段により抽出された動画の連続動画を提供する動画提供手段と、
を有し、
前記付帯情報は、前記動画の撮影日時の情報を含み、
前記動画抽出手段は、
同一の前記テーマと関連付けられた全動画のうち、第１のユーザ属性を有するユーザにより投稿された第１の動画と、第２のユーザ属性を有するユーザにより投稿された第２の動画の中から、所定の条件を満たす撮影日時に撮影された動画を抽出し、
前記動画提供手段は、
前記動画抽出手段により抽出された第１の動画と第２の動画とを撮影日時を揃えて同時に再生した連続動画を提供することを特徴とする情報処理装置。
【請求項３】
ユーザ端末にて設定されたテーマに関連付けて、前記ユーザ端末から送信される動画を受け付ける動画受付手段と、
テーマの内容に応じて、動画の抽出に用いる付帯情報を選択し、同一のテーマと関連付けられた全動画の前記付帯情報を取得する付帯情報取得手段と、
前記全動画の中から、所定の条件を満たす前記付帯情報を有する動画を抽出する動画抽出手段と、
前記動画抽出手段により抽出された動画の連続動画を提供する動画提供手段と、
を有することを特徴とする情報処理装置。
【請求項４】
前記動画抽出手段は、
前記連続動画の全体再生時間が入力されている場合、該全体再生時間内に全ての動画の合計再生時間が収まる動画を抽出すること、
を特徴とする請求項１ないし３の何れか一項に記載の情報処理装置。
【請求項５】
前記付帯情報は、前記動画の撮影位置の情報を含み、
前記動画抽出手段は、
前記全動画の中から、所定の条件を満たす撮影位置で撮影された動画を抽出すること、
を特徴とする請求項１ないし４の何れか一項に記載の情報処理装置。
【請求項６】
前記動画提供手段は、
前記連続動画の撮影位置を地図上にマッピングして表示すること、
を特徴とする請求項５記載の情報処理装置。
【請求項７】
前記付帯情報は、前記動画に対して付与された評価の情報を含み、
前記動画抽出手段は、
前記全動画の中から、所定の条件を満たす評価が付与された動画を抽出すること、
を特徴とする請求項１ないし６何れか一項記載の情報処理装置。
【請求項８】
前記付帯情報は、前記動画の音量の情報を含み、
前記動画抽出手段は、
前記全動画の中から、所定の条件を満たす音量を有する動画を抽出すること、
を特徴とする請求項１ないし７何れか一項記載の情報処理装置。
【請求項９】
情報処理装置が、
ユーザ端末にて設定されたテーマに関連付けて、前記ユーザ端末から送信される動画を受け付ける動画受付手順と、
前記動画の付帯情報を取得する付帯情報取得手順と、
同一のテーマと関連付けられた全動画の中から、所定の条件を満たす前記付帯情報を有する動画を抽出する動画抽出手順と、
前記動画抽出手順により抽出された動画の連続動画を提供する動画提供手順と、
を実行し、
前記付帯情報は、前記動画の撮影日時の情報を含み、
前記動画抽出手順は、前記全動画の中から、実況イベントと該実況イベントの発生日時とを含むテキスト実況情報に基づいて、前記実況イベントの発生日時と一致する撮影日時に撮影された動画を抽出し、
前記動画提供手順は、前記動画抽出手順により抽出された動画に、該動画の撮影日時と一致した発生日時の前記実況イベントとを対応付けて、該実況イベントを表示する情報処理方法。
【請求項１０】
情報処理装置が、
ユーザ端末にて設定されたテーマに関連付けて、前記ユーザ端末から送信される動画を受け付ける動画受付手順と、
前記動画の付帯情報を取得する付帯情報取得手順と、
同一のテーマと関連付けられた全動画の中から、所定の条件を満たす前記付帯情報を有する動画を抽出する動画抽出手順と、
前記動画抽出手順により抽出された動画の連続動画を提供する動画提供手順と、
を実行し、
前記付帯情報は、前記動画の撮影日時の情報を含み、
前記動画抽出手順は、
同一の前記テーマと関連付けられた全動画のうち、第１のユーザ属性を有するユーザにより投稿された第１の動画と、第２のユーザ属性を有するユーザにより投稿された第２の動画の中から、所定の条件を満たす撮影日時に撮影された動画を抽出し、
前記動画提供手順は、
前記動画抽出手順により抽出された第１の動画と第２の動画とを撮影日時を揃えて同時に再生した連続動画を提供する情報処理方法。
【請求項１１】
情報処理装置が、
ユーザ端末にて設定されたテーマに関連付けて、前記ユーザ端末から送信される動画を受け付ける動画受付手順と、
テーマの内容に応じて、動画の抽出に用いる付帯情報を選択し、同一のテーマと関連付けられた全動画の前記付帯情報を取得する付帯情報取得手順と、
前記全動画の中から、所定の条件を満たす前記付帯情報を有する動画を抽出する動画抽出手順と、
前記動画抽出手順により抽出された動画の連続動画を提供する動画提供手順と、
を実行する情報処理方法。
【請求項１２】
コンピュータを、
ユーザ端末にて設定されたテーマに関連付けて、前記ユーザ端末から送信される動画を受け付ける動画受付手段と、
前記動画の付帯情報を取得する付帯情報取得手段と、
同一のテーマと関連付けられた全動画の中から、所定の条件を満たす前記付帯情報を有する動画を抽出する動画抽出手段と、
前記動画抽出手段により抽出された動画の連続動画を提供する動画提供手段と、
として機能させ、
前記付帯情報は、前記動画の撮影日時の情報を含み、
前記動画抽出手段は、前記全動画の中から、実況イベントと該実況イベントの発生日時とを含むテキスト実況情報に基づいて、前記実況イベントの発生日時と一致する撮影日時に撮影された動画を抽出し、
前記動画提供手段は、前記動画抽出手段により抽出された動画に、該動画の撮影日時と一致した発生日時の前記実況イベントとを対応付けて、該実況イベントを表示する情報処理プログラム。
【請求項１３】
コンピュータを、
ユーザ端末にて設定されたテーマに関連付けて、前記ユーザ端末から送信される動画を受け付ける動画受付手段と、
前記動画の付帯情報を取得する付帯情報取得手段と、
同一のテーマと関連付けられた全動画の中から、所定の条件を満たす前記付帯情報を有する動画を抽出する動画抽出手段と、
前記動画抽出手段により抽出された動画の連続動画を提供する動画提供手段と、
として機能させ、
前記付帯情報は、前記動画の撮影日時の情報を含み、
前記動画抽出手段は、
同一の前記テーマと関連付けられた全動画のうち、第１のユーザ属性を有するユーザにより投稿された第１の動画と、第２のユーザ属性を有するユーザにより投稿された第２の動画の中から、所定の条件を満たす撮影日時に撮影された動画を抽出し、
前記動画提供手段は、
前記動画抽出手段により抽出された第１の動画と第２の動画とを撮影日時を揃えて同時に再生した連続動画を提供することを特徴とする情報処理プログラム。
【請求項１４】
コンピュータを、
ユーザ端末にて設定されたテーマに関連付けて、前記ユーザ端末から送信される動画を受け付ける動画受付手段と、
テーマの内容に応じて、動画の抽出に用いる付帯情報を選択し、同一のテーマと関連付けられた全動画の前記付帯情報を取得する付帯情報取得手段と、
前記全動画の中から、所定の条件を満たす前記付帯情報を有する動画を抽出する動画抽出手段と、
前記動画抽出手段により抽出された動画の連続動画を提供する動画提供手段として機能させる情報処理プログラム。
【発明の詳細な説明】
【技術分野】
【０００１】
本発明は、情報処理装置、情報処理方法、及び情報処理プログラムの技術に関する。
【背景技術】
【０００２】
近年、デジタルカメラやスマートフォンなどの普及により、誰もが手軽に動画を撮影できるようになった。また、これに伴い、Ｗｅｂ上などで、誰もが撮影した動画を投稿・共有できる動画投稿サービスも広く普及している。
【０００３】
このような動画投稿サービスでは、投稿可能なデータサイズの制限や動画編集上の理由等により、１人の投稿者より内容の連続する動画が複数の動画として投稿される場合があるが、ユーザが内容が連続するこれら全動画を視聴する際は、複数の動画を内容の順番に従って一つずつ探し出して再生するなどの手間がかかる。
【０００４】
これに関する技術として、例えば、特許文献１には、共通タイトルを持つ動画をシリーズ動画として探索し、各動画の再生順をタイトル中の順番表記に従って定め、各シリーズ動画を再生順に順次再生出力することで、内容が連続する複数の動画を、より容易に視聴可能とする発明が記載されている。
【先行技術文献】
【特許文献】
【０００５】
【特許文献１】特開２０１０−２６８１０３号公報
【発明の概要】
【発明が解決しようとする課題】
【０００６】
しかしながら、共通タイトルの下、投稿動画の数が膨大である場合には、長編の連続動画が延々と再生されてしまう可能性がある。
【０００７】
本発明は上記の点に鑑み提案されたものであり、その目的とするところは、多数の投稿動画を、面白みのある１つのダイジェスト動画として容易に再生することにある。
【課題を解決するための手段】
【０００８】
上記の課題を解決するため、本発明にかかる情報処理装置は、テーマを識別するテーマ識別子に関連付けて、ユーザ端末から送信される動画を受け付ける動画受付手段と、前記動画に対応付けられた付帯情報を取得する付帯情報取得手段と、同一の前記テーマ識別子と関連付けられた全動画の中から、所定の条件を満たす前記付帯情報を有する動画を抽出する動画抽出手段と、前記動画抽出手段により抽出された動画の連続動画を提供する動画提供手段とを有する。
【発明の効果】
【０００９】
本発明の実施形態によれば、多数の投稿動画を、面白みのある１つのダイジェスト動画として容易に再生することができる。
【図面の簡単な説明】
【００１０】
【図１】動画投稿システム１００のネットワーク構成図である。
【図２】動画投稿サーバ１のハードウェア構成例を示す図である。
【図３】動画投稿サーバ１のソフトウェア構成例を示す図である。
【図４】投稿動画ＤＢ１０２のデータ例を示す図である。
【図５】ダイジェスト動画の抽出例１を示す図である。
【図６】ダイジェスト動画の抽出例２を示す図である。
【図７】ダイジェスト動画の抽出例３を示す図である。
【図８】ダイジェスト動画の抽出例４−１を示す図である。
【図９】ダイジェスト動画の抽出例４−２を示す図である。
【図１０】動画投稿サービス画面例を示す図である。
【図１１】動画投稿サーバ１のダイジェスト動画抽出処理を示すフローチャートである。
【図１２】動画投稿サーバ１の連続ダイジェスト動画再生処理を示すフローチャートである。
【発明を実施するための形態】
【００１１】
以下、本発明の好適な実施形態につき説明する。
【００１２】
＜構成＞
（ネットワーク構成）
図１は、本発明の一実施形態にかかる動画投稿サービスシステム１００のネットワーク構成図である。動画投稿サービスシステム１００は、動画投稿サーバ１及び端末２が、ネットワーク３を介して接続される。
【００１３】
動画投稿サーバ１は、ユーザの端末２に対して、インターネット上で動画投稿サービスを提供するＷｅｂサーバとして構成される。動画投稿サーバ１は、例えば、ユーザの端末２から、動画の「テーマ」（「トピック」、「お題」ともいえる）と、その「テーマ」にちなんだ動画とが投稿（アップロード）されると、サイト上、「テーマ」ごとに投稿動画を閲覧可能に公開する。さらに、動画投稿サーバ１は、「テーマ」を投稿したユーザとは異なるユーザの端末２から広くその「テーマ」にちなんだ動画の投稿を受け付ける。動画投稿サーバ１は、その「テーマ」にちなんだ動画が多数投稿されると、その「テーマ」の下、投稿された多数の動画の中から、ダイジェスト用の動画として用いる動画（以下、ダイジェスト動画という）を複数抽出する。そして、動画投稿サーバ１は、抽出した複数のダイジェスト動画を連続再生させることで、１つの連続したダイジェスト動画を作成する（以下、連続ダイジェスト動画という）。連続ダイジェスト動画は、その「テーマ」の下、不特定多数のユーザの端末２から閲覧（再生）可能に公開される。
【００１４】
端末２は、例えば、動画を撮影できるカメラや、カメラ付き携帯電話、スマートフォン、パーソナルコンピュータなど、ユーザの利用するユーザ端末である。ユーザは端末２を用いて、動画投稿サービスを提供するＷｅｂサーバとしての動画投稿サーバ１にアクセスし、撮影した動画を投稿する。また、端末２は、動画投稿サーバ１上で公開された個々の投稿動画や、ダイジェスト動画を連続再生させた連続ダイジェスト動画を閲覧（再生）することも可能である。
【００１５】
ネットワーク３は、有線、無線を含むネットワークであり、例えば、動画投稿サーバ１及び端末２を接続するインターネット網である。
【００１６】
（ハードウェア構成）
図２は、本発明の一実施形態にかかる動画投稿サーバ１のハードウェア構成例を示す図である。図２に示されるように、動画投稿サーバ１は、ハードウェア構成として、ＣＰＵ（Central Processing Unit）１１、ＲＯＭ（Read Only Memory）１２、ＲＡＭ（Random Access Memory）１３、ＨＤＤ（Hard Disk Drive）１４、入力装置１５、表示装置１６、通信装置１７を有する。
【００１７】
ＣＰＵ１１は、各種プログラムの実行や演算処理を行う。ＲＯＭ１２は、起動時に必要なプログラムなどが記憶されている。ＲＡＭ１３は、ＣＰＵ１１での処理を一時的に記憶したり、データを記憶したりする作業エリアである。ＨＤＤ１４は、各種データ及びプログラムを格納する。入力装置１５は、例えばキーボードやマウスである。表示装置１６は、ディスプレイである。通信装置１７は、他装置との通信を行う。
【００１８】
（ソフトウェア構成）
図３は、本発明の一実施形態にかかる動画投稿サーバ１のソフトウェア構成例を示す図である。動画投稿サーバ１は、主な機能部として、動画受付部１０１、投稿動画ＤＢ（Database）１０２、付帯情報取得部１０３、ダイジェスト動画抽出部１０４、連続ダイジェスト動画提供部１０５を有する。
【００１９】
動画受付部１０１は、ユーザの端末２からの投稿動画を受け付ける。投稿動画は、各々のテーマに関連付けて、テーマにちなんだ動画が投稿される。
【００２０】
投稿動画ＤＢ１０２は、ユーザの端末２から投稿（送信）された投稿動画を格納するデータベースである。投稿動画は、各々のテーマに関連付けて投稿されるので、投稿動画ＤＢ１０２では、「テーマ」と、その「テーマ」にちなんだ投稿動画データとが関連付けられて格納される。
【００２１】
付帯情報取得部１０３は、投稿動画に対応付けられた付帯情報を取得する。付帯情報としては、投稿動画の撮影日時刻、撮影位置、評価、音量などの情報がある。
【００２２】
ダイジェスト動画抽出部１０４は、同一テーマの下、ユーザの端末２から投稿された全動画の中から、相対的に他の動画と異なる付帯情報を有する動画（ダイジェスト動画）を抽出する。抽出された動画は、他の動画と比較して特徴的な動画であるため、同一テーマの下、ユーザの端末２から投稿された全動画のダイジェスト用動画として用いられる。
【００２３】
連続ダイジェスト動画提供部１０５は、ユーザの端末２から、投稿動画の連続ダイジェスト動画再生要求を受信すると、同一テーマの下、ユーザの端末２から投稿された全動画の中から抽出された複数のダイジェスト動画を、つなぎあわせるように連続再生したものである連続ダイジェスト動画を端末２に提供する。
【００２４】
以上、動画投稿サーバ１の主な機能構成である。これらの各機能は、実際には動画投稿サーバ１のＣＰＵ１１が実行するプログラムによりコンピュータに実現させることで実現される。
【００２５】
（投稿動画ＤＢ１０２）
図４は、本発明の一実施形態にかかる投稿動画ＤＢ１０２のデータ例を示す図である。投稿動画ＤＢ１０２は、「テーマＩＤ」４０１、「テーマ」４０２及び「ジャンル／タグ」４０３ごとに、「投稿動画」４０４、「投稿者ＩＤ」４０５、「投稿日」４０６、「撮影日時」４０７、「撮影位置」４０８、「評価値」４０９、「動画音量」４１０、「ダイジェスト動画フラグ」４１１が対応付けて格納される。
【００２６】
「テーマＩＤ」４０１は、投稿動画ＤＢ１０２に登録されたテーマ識別子である。新しいテーマが登録されるたびに付番される。
【００２７】
「テーマ」４０２は、ユーザの端末２から登録（設定）された動画のテーマである。動画投稿サーバ１の動画投稿サービス上、「テーマ」が投稿されると、その「テーマ」と関連付けるように、招待されたユーザもしくは不特定多数のユーザから、「テーマ」にちなんだ動画が投稿（アップロード）される。なお、「テーマ」４０２は、一般ユーザからのみならず、動画投稿サービスの運営者が登録することも可能である。
【００２８】
図４の投稿動画ＤＢ１０２を参照すると、テーマ「日本ｖｓブラジル  ワールドカップ観戦アルバム」に対して、複数のユーザから、テーマにちなんだ各々の動画が投稿されている。これら投稿動画は、各々のユーザ自らのフレームワーク、タイミング、視点により様々な場面で、サッカー観戦の様子を撮影した動画である。
【００２９】
「ジャンル／タグ」４０３は、テーマに対して付与されたテーマのジャンル又はタグである。ユーザの端末２から「テーマ」４０２が登録（設定）される際、併せてそのテーマの所属するジャンル又はタグが選択（入力）される。
【００３０】
「投稿動画」４０４は、端末２により、「テーマ」にちなんで投稿された動画データ（動画ファイル）である。投稿動画は、端末２から動画投稿サーバ１に対してアップロードされる。
【００３１】
「投稿者ＩＤ」４０５は、投稿動画を投稿したユーザのＩＤである。
【００３２】
「投稿日」４０６は、動画投稿サーバ１の動画投稿サービスに、投稿動画が投稿された日時刻である。
【００３３】
「撮影日時」４０７は、端末２等により、投稿動画が撮影された日時刻である。撮影日時の情報は、年、月、日、時、分、秒、及び曜日を含む。また、撮影開始日時及び撮影終了日時のいずれをも含む。「撮影日時」４０７は、投稿動画に付随するメタデータから取得されてもよいし、投稿動画が投稿される際、投稿者により入力されてもよい。
【００３４】
「撮影位置」４０８は、端末２等により、投稿動画が撮影された位置である。「撮影位置」４０８は、例えば、経緯緯度の地図座標や、具体的な地名や場所等の情報で表現されうる。また、「撮影位置」４０８は、投稿動画に付随するメタデータから取得されてもよいし、投稿動画が投稿される際、投稿者により入力されてもよい。
【００３５】
「評価値」４０９は、投稿動画に対して与えられた評価の値である。投稿動画は、サイト上、閲覧可能に公開される。第３者ユーザは投稿動画を閲覧し、各々で評価値を付与することができる。なお、評価値は、星の数や点数などで表現されうる。
【００３６】
「動画音量」４１０は、投稿動画の音量の大きさである。「動画音量」４１０は、「投稿動画」４０４が投稿されたタイミングで、投稿動画で記録されている音量が解析され、その音量に応じて、例えば、１〜５といったような音量の大きさを示す値が付与される。
【００３７】
「ダイジェスト動画フラグ」４１１は、同一の「テーマ」にちなんで投稿された全投稿動画の中から抽出されたダイジェスト動画であることを示すフラグである。「ダイジェスト動画フラグ」４１１のフラグ値０は非ダイジェスト動画を示し、フラグ値１はダイジェスト動画を示す。全投稿動画のうち、フラグ値１のダイジェスト動画のみを連続再生させることで、１つの「テーマ」の下、１つの連続ダイジェスト動画として再生される。
【００３８】
＜ダイジェスト動画の抽出＞
本実施形態では、同一の「テーマ」にちなんで投稿された全投稿動画の中から、ダイジェスト用動画として用いられるダイジェスト動画を抽出し、抽出されたダイジェスト動画を連続再生することで、複数の投稿動画が、ある１つの「テーマ」の下、１つの連続ダイジェスト動画となって再生される。以下、ダイジェスト動画の抽出例について説明する。
【００３９】
（ダイジェスト動画の抽出例１）
図５は、本発明の一実施形態にかかるダイジェスト動画の抽出例１を示す図である。ダイジェスト動画の抽出例１では、投稿動画の「撮影位置」４０８に基づいて、ダイジェスト動画を抽出する。
【００４０】
まず、図５に示されるように、ある１つの「テーマ」の下、各投稿動画は、各々の投稿動画の「撮影位置」４０８に基づいて、各投稿動画を分類（グルーピング）する。
【００４１】
分類（グルーピング）は、撮影位置が同一である投稿動画を同一グループに分類する。また、もう少し位置範囲を広げ、撮影位置が近隣地域や同一施設内（例えば、公園、遊園地、動物園など）である投稿動画を同一グループに分類することもできる。さらに位置範囲を広げ、撮影位置が同一の市区町村、県、国の投稿動画を同一グループに分類することもできる。いずれとするかはテーマ内容との関係において適宜定め得る。
【００４２】
図５の場合、各投稿動画は、各々の投稿動画の「撮影位置」４０８に基づいて、新宿エリア、渋谷エリア、池袋エリア、中央エリア、新橋エリア、上野エリアという各グループに分類されている。
【００４３】
そしてこの分類したそれぞれの各グループの中から、バランスよく、又はまんべんなく、もしくは投稿画像数に応じて、１ないし数個の投稿動画を、ダイジェスト動画として抽出する。具体的には、投稿動画ＤＢ１０２の「撮影位置」４０８に基づいて、新宿エリアで撮影された投稿動画の中から１つ、渋谷エリアで撮影された投稿動画の中から２つ、池袋エリアで撮影された投稿動画の中から１つ、中央エリアで撮影された投稿動画の中から１つ、新橋エリアで撮影された投稿動画の中から２つ、上野エリアで撮影された投稿動画の中から１つ、ダイジェスト動画として抽出する。
【００４４】
なお、同一グループ内の投稿動画の中からいずれの投稿動画を抽出するかは、その他の付帯情報（例えば、「投稿日」４０６、「撮影日時」４０７、「評価値」４０９、「動画音量」４１０など）を組み合わせて抽出することができる。また、各グループからいくつの投稿動画を抽出するかは、投稿画像数に比例してよいが、連続ダイジェスト動画全体の再生時間（例えば、３分、５分など、ユーザ又は管理者指定の再生時間）が入力されている場合には、再生時間内に全ダイジェスト動画の合計再生時間がうまく収まるよう投稿画像を抽出する。
【００４５】
これにより、同一の「テーマ」にちなんで投稿された投稿動画の連続ダイジェスト動画を閲覧する場合、同じ場所で撮影された動画が延々と続くことがなく、各地で撮影された動画がバランスよくダイジェスト再生される。即ち、例えば、渋谷エリアの観戦シーン動画ばかりに偏って再生されることはなく、各エリアで撮影された観戦シーン動画がバランスよく再生されるので、ユーザは、膨大に投稿された観戦シーン動画をバランスよく、各地のダイジェストで閲覧することが可能である。
【００４６】
（ダイジェスト動画の抽出例２）
図６は、本発明の一実施形態にかかるダイジェスト動画の抽出例２を示す図である。ダイジェスト動画の抽出例２では、投稿動画の「評価値」４０９に基づいて、ダイジェスト動画を抽出する。
【００４７】
図６に示されるように、ある１つの「テーマ」の下、各々の投稿動画の「評価値」４０９が所定評価以上の投稿動画を、ダイジェスト動画として抽出する。具体的には、ある１つの「テーマ」の下、全投稿動画のうち、投稿動画ＤＢ１０２の「評価値」４０９が星５以上の投稿動画を、ダイジェスト動画として抽出する。
【００４８】
なお、同一評価値の投稿動画の中からさらにいずれの投稿動画を抽出するかは、その他の付帯情報（例えば、「投稿日」４０６、「撮影日時」４０７、「撮影位置」４０８、「動画音量」４１０など）を組み合わせて抽出することができる。また、同一評価値の投稿動画の中からいくつの投稿動画を抽出するかは、投稿画像数に比例してよいが、連続ダイジェスト動画全体の再生時間（例えば、３分、５分など、ユーザ又は管理者指定の再生時間）が入力されている場合には、全体の再生時間内に全ダイジェスト動画の合計再生時間がうまく収まるよう投稿画像を抽出する。
【００４９】
これにより、同一の「テーマ」にちなんで投稿された投稿動画の連続ダイジェスト動画を閲覧する場合、高い評価が付与されている動画だけがダイジェスト再生される。即ち、例えば、低い評価が付与されている動画が再生されることはなく、高い評価が付与されている動画だけが再生されるので、ユーザは、膨大に投稿された観戦シーン動画のうち、高評価の動画をダイジェストで閲覧することが可能である。
【００５０】
なお、「評価値」４０９に代え、投稿動画のＳＮＳへのシェア数に基づいて、ダイジェスト動画を抽出してもよい。いわばＳＮＳへのシェア数が多い投稿動画は、人気があり、ユーザの評価が高いものと同視することができるからである。
【００５１】
（ダイジェスト動画の抽出例３）
図７は、本発明の一実施形態にかかるダイジェスト動画の抽出例３を示す図である。ダイジェスト動画の抽出例３では、投稿動画の「動画音量」４１０に基づいて、ダイジェスト動画を抽出する。
【００５２】
図７に示されるように、ある１つの「テーマ」の下、各々の「動画音量」４１０が所定音量以上の投稿動画を、ダイジェスト動画として抽出する。具体的には、ある１つの「テーマ」の下、全投稿動画のうち、投稿動画ＤＢ１０２の「動画音量」４１０が最大音量５の投稿動画を、ダイジェスト動画として抽出する。
【００５３】
なお、同一評価値の投稿動画の中からさらにいずれの投稿動画を抽出するかは、その他の付帯情報（例えば、「投稿日」４０６、「撮影日時」４０７、「撮影位置」４０８、「評価値」４０９など）を組み合わせて抽出することができる。また、同一音量の投稿動画の中からいくつの投稿動画を抽出するかは、投稿画像数に比例してよいが、連続ダイジェスト動画全体の再生時間（例えば、３分、５分など、ユーザ又は管理者指定の再生時間）が入力されている場合には、全体の再生時間内に全ダイジェスト動画の合計再生時間がうまく収まるよう投稿画像を抽出する。
【００５４】
これにより、同一の「テーマ」にちなんで投稿された投稿動画の連続ダイジェスト動画を閲覧する場合、大音量の動画だけがダイジェスト再生される。即ち、例えば、小音量動画が再生されることはなく、大音量動画だけが再生されるので、ユーザは、膨大に投稿された観戦シーン動画のうち、大音量（例えば、大声援など）で盛り上がっている動画をダイジェストで閲覧することが可能である。
【００５５】
（ダイジェスト動画の抽出例４）
図８は、本発明の一実施形態にかかるダイジェスト動画の抽出例４−１を示す図である。ダイジェスト動画の抽出例４−１では、投稿動画の「撮影日時」４０７に基づいて、ダイジェスト動画を抽出する。
【００５６】
図８に示されるように、ある１つの「テーマ」の下、各投稿動画は、各々の投稿動画の「撮影日時」４０７に基づいて、各投稿動画を分類（グルーピング）する。
【００５７】
分類（グルーピング）は、撮影日時が同一である投稿動画を同一グループに分類する。また、もう少し日時範囲を広げ、撮影日時が数分以内、数時間以内、数日以内である投稿動画を同一グループに分類することもできる。いずれとするかはテーマ内容との関係において適宜定め得る。
【００５８】
図８の場合、各投稿動画は、各々の投稿動画の「撮影日時」４０７に基づいて、撮影日時が分単位での各グループに分類されている。
【００５９】
そしてこの分類したそれぞれの各グループの中から、バランスよく、又はまんべんなく、もしくは投稿画像数に応じて、１ないし数個の投稿動画を、ダイジェスト動画として抽出する。具体的には、投稿動画ＤＢ１０２の「撮影日時」４０７基づいて、13：00の撮影日時に撮影された投稿動画の中から１つ、13：01の撮影日時に撮影された投稿動画の中から１つ、13：02の撮影日時に撮影された投稿動画の中から１つ、13：03の撮影日時に撮影された投稿動画の中から１つ、13：04の撮影日時に撮影された投稿動画の中から１つ、13：05の撮影日時に撮影された投稿動画の中から１つ、13：06の撮影日時に撮影された投稿動画の中から２つ、ダイジェスト動画として抽出する。
【００６０】
なお、同一グループ内の投稿動画の中からいずれの投稿動画を抽出するかは、その他の付帯情報（例えば、「投稿日」４０６、「撮影位置」４０８、「評価値」４０９、「動画音量」４１０など）を組み合わせて抽出することができる。また、各グループからいくつの投稿動画を抽出するかは、投稿画像数に比例してよいが、連続ダイジェスト動画全体の再生時間（例えば、３分、５分など、ユーザ又は管理者指定の再生時間）が入力されている場合には、全体の再生時間内に全ダイジェスト動画の合計再生時間がうまく収まるよう投稿画像を抽出する。
【００６１】
これにより、同一の「テーマ」にちなんで投稿された投稿動画の連続ダイジェスト動画を閲覧する場合、同じ時間帯に撮影された動画が延々と続くことがなく、各時間帯で撮影された動画がバランスよくダイジェスト再生される。即ち、例えば、同時刻の観戦シーン動画ばかりに偏って再生されることはなく、各時間帯で撮影された観戦シーン動画がバランスよく再生されるので、ユーザは、膨大に投稿された観戦シーン動画をバランスよく、各時間帯をダイジェストで閲覧することが可能である。
【００６２】
図９は、本発明の一実施形態にかかるダイジェスト動画の抽出例４−２を示す図である。ダイジェスト動画の抽出例４−２では、投稿動画の「撮影日時」４０７に加え、さらにテキスト実況情報９００に基づいて、ダイジェスト動画を抽出する。
【００６３】
まず、テキスト実況情報９００とは、イベントの様子を読者に伝達可能にテキストで実況したものである。例えば、サッカー試合の場合、試合の開始から終了迄、時間を追いながら試合の様子をテキストで実況したものとなる。本実施形態では、「テーマ」４０２がイベント系のテーマである場合、そのイベントのテキスト実況情報９００を予め取得しておく。
【００６４】
一方、図９のように、各投稿動画は、各々の投稿動画の「撮影日時」４０７に基づいて、撮影日時が分単位での各グループに分類される。
【００６５】
次いで、各投稿動画が撮影された撮影日時と、テキスト実況情報９００のイベント発生日時とを照らし合わせ、テキスト実況上、イベントが発生している日時に撮影された投稿動画のグループの中から、バランスよく、又はまんべんなく、もしくは投稿画像数に応じて、１ないし数個の投稿動画を、ダイジェスト動画として抽出する。具体的には、テキスト実況情報９００内で実況されたイベントが発生している撮影日時13：00に撮影された投稿動画の中から１つ、13：03の撮影日時に撮影された投稿動画の中から１つ、13：04の撮影日時に撮影された投稿動画の中から２つ、13：06の撮影日時に撮影された投稿動画の中から２つ、ダイジェスト動画として抽出する。
【００６６】
なお、同一グループ内の投稿動画の中からいずれの投稿動画を抽出するかは、その他の付帯情報（例えば、「投稿日」４０６、「撮影位置」４０８、「評価値」４０９、「動画音量」４１０など）を組み合わせて抽出することができる。また、各グループからいくつの投稿動画を抽出するかは、投稿画像数に比例してよいが、連続ダイジェスト動画全体の再生時間（例えば、３分、５分など、ユーザ又は管理者指定の再生時間）が入力されている場合には、全体の再生時間内に全ダイジェスト動画の合計再生時間がうまく収まるよう投稿画像を抽出する。
【００６７】
これにより、同一の「テーマ」にちなんで投稿された投稿動画の連続ダイジェスト動画を閲覧する場合、同じ時間帯に撮影された動画が延々と続くことがなく、さらに、実況シーンが発生した特別な時間帯で撮影された動画がバランスよくダイジェスト再生される。
【００６８】
なお、ダイジェスト動画の抽出例１〜４を組み合わせて、投稿動画の「投稿日」４０６、「撮影日時」４０７、「撮影位置」４０８、「評価値」４０９、「動画音量」４１０のうち、２つ以上に基づいて、ダイジェスト動画を抽出することも可能である。
【００６９】
例えば、テーマが「２０１４ワールドカップ」にちなんで投稿された複数の投稿動画の場合、投稿動画の「撮影位置」４０８及び「撮影日時」４０７に基づいてダイジェスト動画を抽出することができる。この場合、世界各地それぞれで自国のチームを応援するサポーターの動画が、まず国や地域ごとという場所のくくり、そして、時系列という時間でのくくりで、ダイジェスト動画として抽出される。仮に、投稿動画の「撮影日時」４０７だけでダイジェスト動画を抽出すると、動画の場面が世界各地にあちらこちら混在してしまうので、必ずしも連続ダイジェスト動画として見やすいものではない。
【００７０】
また、実況シーンが発生した時間帯で撮影された動画を抽出しているため、その抽出したダイジェスト動画と、そのダイジェスト動画の撮影日時と一致したイベント発生日時に実況されたイベントとを対応付けて利用することもできる。例えば、動画投稿サービス画面上、抽出したダイジェスト動画に対応させて実況された実況イベントをマーカーとしてテキスト表示する。これにより、ユーザはダイジェスト動画がどのようなシーンの動画であるかを容易に把握することができる。また、連続ダイジェスト動画が再生される中で、そのダイジェスト動画が再生されるタイミングで、対応付けられたその実況イベントを表示してもよい。
【００７１】
＜ダイジェスト動画の連続再生＞
本実施形態では、同一の「テーマ」にちなんで投稿された全投稿動画の中から、ダイジェスト動画を抽出し、抽出されたダイジェスト動画を連続再生することで、複数の投稿動画が、ある１つの「テーマ」の下、１つの連続ダイジェスト動画となって再生される。
【００７２】
図１０は、本発明の一実施形態にかかる動画投稿サービス画面例を示す図である。本動画投稿サービス画面は、動画投稿サービス上で登録されている複数のテーマの中から、ユーザが所望する一のテーマを選択すると、端末２の画面上で表示される。
【００７３】
テーマ欄１０００には、例えば、「日本ｖｓブラジル  ワールドカップ観戦アルバム」という選択されたテーマが表示される。
【００７４】
投稿動画欄１００１には、テーマ欄１０００のテーマにちなんで投稿された複数の投稿動画005a、001a、003a、004a、005b・・・が、左から右方向へ向かって並べられて配置される。この中からユーザが任意の投稿動画を再生したい場合、再生したい投稿動画上の再生ボタン１００３を押下する。
【００７５】
一方、ユーザが連続ダイジェスト動画１００４を再生したい場合、連続ダイジェスト動画１００４上の再生ボタン１００５を押下する。再生ボタン１００５が押下されると、連続ダイジェスト動画提供部１０５が、投稿動画欄１００１に配置されている全投稿動画005a、001a、003a、004a、005b・・・の中から抽出されたダイジェスト動画を連続的に再生することで、連続ダイジェスト動画１００４の再生が実現する。
【００７６】
これにより、「日本ｖｓブラジル  ワールドカップ観戦アルバム」というテーマにちなんで投稿された観戦シーン動画が、ダイジェストで次々と進行していく１つの動画コンテンツとして再生される。
【００７７】
なお、新しく投稿画像が追加されると、新しい投稿画像を含めた全投稿動画の中から、あらためて各々の投稿動画の付帯情報に基づいて、ダイジェスト動画が再抽出（再決定）される。その後、ユーザが連続ダイジェスト動画１００４を再生する場合、あらためて再抽出されたダイジェスト動画が連続再生される。
【００７８】
また、連続ダイジェスト動画１００４の表紙画像（サムネイル画像）は、「投稿日」４０６が最新のダイジェスト動画（例えば、投稿動画004a）の表示画像が用いられる。これにより、新しく投稿画像が追加される前と後で、連続ダイジェスト動画１００４の表紙画像は違うものになるため、ユーザは新しくダイジェスト動画となった投稿画像が追加されたこと、及び、その投稿画像が追加される前とは異なる連続ダイジェスト動画１００４となっていることを容易に認識できる。なお、「投稿日」４０６が最新の投稿動画の表示画像は、端末２が動画投稿サーバ１から動画投稿サービス画面を呼び出すと、動画投稿サーバ１は、動画投稿サービス画面中、連続ダイジェスト動画１００４の表紙画像（サムネイル画像）として、「投稿日」４０６が最新の投稿動画（例えば、投稿動画004a）の静止画像及び静止画像へのリンクＵＲＬを埋め込んで、端末２に動画投稿サービス画面を返送する。
【００７９】
また、連続ダイジェスト動画提供部１０５は、ダイジェスト動画を連続再生する際、そのダイジェスト動画が「撮影位置」４０８に基づいて抽出されている場合には、動画投稿サービス画面上に、ダイジェスト動画と連動させて、「撮影位置」４０８をマッピングした地図を表示させることも可能である。これにより、ダイジェスト動画が連続再生される際、再生されるダイジェスト動画が撮影された位置を地図上で視覚的に把握することができる。
【００８０】
（補足）
上記ダイジェスト動画の抽出例１〜４においては、投稿動画の付帯情報のうち、投稿動画の「撮影日時」４０７、「撮影位置」４０８、「評価値」４０９、又は「動画音量」４１０に基づいて、ダイジェスト動画を抽出した。しかしながら、投稿動画の付帯情報のうち、いずれの付帯情報を用いるかは、「テーマ」の内容（例えば、テーマに付与されたジャンルやタグ）によって運用するのが適切である。
【００８１】
（１）「撮影日時」型
例えば、「テーマ」の内容が結婚式、スポーツの試合、又は司会進行型イベントなどに関連するものである場合、投稿動画は、進行時間の流れがあるので、「撮影日時」４０７に基づいて各時間帯から動画が抽出されるのが、ダイジェスト動画コンテンツとして適切である。結婚式やスポーツは同一場所で開催されるため、「撮影位置」４０８に基づいて各地からの動画を抽出することは有意義ではない。
【００８２】
（２）「撮影位置」型
また、例えば、「テーマ」の内容が観光施設、観光地、名所などの各地の施設や場所に関連するものである場合、投稿動画は、「撮影位置」４０８に基づいて各地からの動画が抽出再生されるのが、ダイジェスト動画コンテンツとして適切である。各地の施設や場所はそれぞれ位置が異なるため、「撮影日時」４０７に基づいて各時間帯からの動画を抽出することは有意義ではない。
【００８３】
（３）「評価値」型
さらに、例えば、「テーマ」の内容が、時間や場所とは無関係なお祝いメッセージや面白コンテンツなどに関連するものである場合、投稿動画は、「評価値」４０９に基づいて動画が抽出されるのが、ダイジェスト動画コンテンツとして適切である。なお、お祝いメッセージや面白コンテンツのように、時間や場所とは無関係で、メッセージやコンテンツの内容そのものに意味がある動画の場合、「撮影日時」４０７又は「撮影位置」４０８に基づいて、各時間帯や各地からの動画を抽出することは有意義ではない。
【００８４】
（４）「音量」型
さらに、例えば、「テーマ」の内容が、スポーツやコンサートなどに関連するものである場合、投稿動画は、「動画音量」４１０に基づいて盛り上がりのある動画が抽出されるのが、ダイジェスト動画コンテンツとして適切である。
【００８５】
なお、上記（１）〜（４）を組み合わせて、投稿動画の「撮影日時」４０７、「撮影位置」４０８、「評価値」４０９、「動画音量」４１０のうち、２つ以上に基づいて、ダイジェスト動画を抽出することも可能である。
【００８６】
例えば、テーマ「２０１４ワールドカップ」にちなんで投稿された投稿動画の場合、投稿動画の「撮影位置」４０８及び「撮影日時」４０７に基づいてダイジェスト動画を抽出するとよい。この場合、投稿動画は、世界各地それぞれで自国のチームを応援するサポーターの動画が、まず国や地域から、そして各時間帯からのダイジェスト動画が抽出される。仮に、投稿動画の「撮影日時」４０７だけでダイジェスト動画を抽出すると、動画の場面が世界各地にあちらこちら混在してしまう連続ダイジェスト動画が再生されてしまう。
【００８７】
またこのほか、投稿動画を投稿したユーザのユーザ属性により、さらにダイジェスト動画を絞ってもよい。つまり、投稿動画を投稿したユーザのユーザ属性を加味して、ダイジェスト動画を抽出する。例えば、テーマが「２０１４ワールドカップ」の場合、全投稿動画のうち、ユーザ属性が日本人（又は日本サポーター）である投稿動画の中から、ダイジェスト動画を抽出する。これにより、例えば、日本人視点で撮影されたダイジェスト動画ばかりが抽出されることで、日本視点で撮影された投稿動画の連続ダイジェスト動画が再生される。一方、日本視点とは逆に、全投稿動画のうち、ユーザ属性が相手対戦国の人である投稿動画の中から、ダイジェスト動画を抽出する。これにより、例えば、日本の対戦国視点で撮影されたダイジェスト動画ばかりが抽出されることで、日本の対戦国視点で撮影された投稿動画の連続ダイジェスト動画が再生される。
【００８８】
また、この場合には、さらに日本視点で撮影された投稿動画のダイジェスト動画と、日本の対戦国視点で撮影された投稿動画のダイジェスト動画とを、「撮影日時」４０７を揃えながら同時並行に連続再生することも可能である。例えば、動画投稿サービス画面（図１０）の連続ダイジェスト動画１００４上の再生ボタン１００５が押下されると、連続ダイジェスト動画提供部１０５は、画面上半分に日本視点で撮影された投稿動画のダイジェスト動画を、画面下半分に本の対戦国視点で撮影された投稿動画のダイジェスト動画を「撮影日時」４０７を揃えて同時並行に連続再生する。これにより、「日本ｖｓ○○戦」というテーマにちなんで投稿された観戦シーン動画が、ユーザ属性に基づく異なる視点で撮影された動画がダイジェストで次々と進行していく１つの動画コンテンツとして再生される。
【００８９】
＜動作＞
図１１は、本発明の一実施形態にかかる動画投稿サーバ１のダイジェスト動画抽出処理を示すフローチャートである。以下、図面を参照しながら、詳しく説明する。
【００９０】
Ｓ１：動画受付部１０１は、投稿動画が投稿されたか否かを判定する。ユーザが、例えば、動画を投稿したい「テーマ」の動画投稿サービス画面において、動画投稿を行うことで、投稿動画が投稿される。
【００９１】
Ｓ２：動画受付部１０１は、投稿動画が投稿されると、投稿動画ＤＢ１０２上、投稿動画が投稿されたテーマの「テーマＩＤ」４０１に関連付け、「投稿動画」４０４に投稿動画を格納する。また併せて、動画受付部１０１は、投稿動画の付帯情報として、「投稿者ＩＤ」４０５、「投稿日」４０６、「撮影日時」４０７、「撮影位置」４０８、「動画音量」４１０を対応付けて格納する（図４）。
【００９２】
Ｓ３：次に、付帯情報取得部１０３は、Ｓ２で投稿動画が格納されると、その投稿動画の「テーマＩＤ」４０１に関連付けられている「投稿動画」４０４は、複数存在するか否かを判定する。「テーマＩＤ」４０１に関連付けられている「投稿動画」４０４に、２つ以上の投稿動画が格納されている場合、Ｓ４へ進む。
【００９３】
Ｓ４：付帯情報取得部１０３は、その投稿動画の「テーマＩＤ」４０１に関連付けられている「ジャンル／タグ」４０３を取得する。
【００９４】
Ｓ５：付帯情報取得部１０３は、Ｓ４で取得した「ジャンル／タグ」４０３に基づいて、ダイジェスト動画の抽出に用いる付帯情報を選択する。「ジャンル／タグ」４０３は、「テーマ」４０２が登録（設定）される際、テーマに対して付与されたテーマのジャンル又はタグである。よって、「ジャンル／タグ」４０３は、テーマがどのような内容であるのか、即ち、テーマ分類を示すものである。
【００９５】
Ｓ６：付帯情報取得部１０３は、その投稿動画の「テーマＩＤ」４０１に関連付けられている全「投稿動画」４０４から、Ｓ５で選択した付帯情報をそれぞれ取得する。例えば、Ｓ５で、ダイジェスト動画の抽出に用いる付帯情報として、「撮影日時」４０７が選択された場合、全「投稿動画」４０４から、「撮影日時」４０７をそれぞれ取得する。なお、投稿動画の付帯情報のうち、「評価値」４０９については、ユーザからの評価を受けてはじめて付与される情報であるので、これら情報が格納されている場合に取得する。
【００９６】
Ｓ７：ダイジェスト動画抽出部１０４は、Ｓ６で取得した付帯情報に基づいて、同一「テーマＩＤ」４０１の下、「投稿動画」４０４において格納されている全投稿動画の中から、ダイジェスト動画を抽出する。なお、上記ダイジェスト動画の抽出例１〜４を組み合わせて、投稿動画の「撮影日時」４０７、「撮影位置」４０８、「評価値」４０９、「動画音量」４１０のうち、２つ以上に基づいて（組み合わせて）、ダイジェスト動画を抽出することも可能である。
【００９７】
Ｓ８：ダイジェスト動画抽出部１０４は、投稿動画ＤＢ１０２上、Ｓ７でダイジェスト動画として抽出された動画の「ダイジェスト動画フラグ」に１を格納する（図４）。
【００９８】
なお、新しく投稿画像が追加されると（Ｓ１）、新しい投稿画像を含め、あらためて各々の投稿動画の付帯情報に基づいて（Ｓ６）、ダイジェスト動画が抽出される（Ｓ７）。
【００９９】
図１２は、本発明の一実施形態にかかる動画投稿サーバ１の連続ダイジェスト動画再生処理を示すフローチャートである。
【０１００】
Ｓ２１：連続ダイジェスト動画提供部１０５は、ユーザの端末２から、投稿動画の連続ダイジェスト再生要求を受信したか否かを判定する。例えば、図１０のように、ある「テーマ」の動画投稿サービス画面において、ユーザが投稿動画の連続ダイジェスト動画１００４を再生したい場合、連続ダイジェスト動画１００４上の再生ボタン１００５を押下することで、連続ダイジェスト再生要求が連続ダイジェスト動画提供部１０５に送信される。
【０１０１】
Ｓ２２：連続ダイジェスト動画提供部１０５は、投稿動画ＤＢ１０２から、テーマの「テーマＩＤ」４０１に関連付けられている「投稿動画」４０４のうち、「ダイジェスト動画フラグ」４１１が１である動画を全て取得する。
【０１０２】
Ｓ２３：連続ダイジェスト動画提供部１０５は、Ｓ２２で取得した「ダイジェスト動画フラグ」４１１が１である動画（ダイジェスト動画）を端末２に送信する。これにより、「投稿動画」４０４の全数動画の中から、連続ダイジェスト動画として連続再生されるダイジェスト動画が提供されるので、端末２上、同一テーマにちなんで投稿された投稿動画がダイジェストで次々と進行していく１つの動画コンテンツとして再生される。
【０１０３】
なお、複数のダイジェスト動画は、一例として、ダイジェスト動画（投稿動画）を「撮影日時」４０７が早い順に並べ、並べられた再生順序で、連続ダイジェスト動画として連続再生することができる。
【０１０４】
さて、上記のダイジェスト動画抽出処理は、投稿動画が投稿された直後のタイミングで実行されるものとして説明した。しかしながら、ダイジェスト動画抽出処理を実行するタイミングとしては、他にも例えば、動画投稿サービス上で登録されている複数のテーマの中から、ユーザにより所望する一のテーマを選択され、動画投稿サービス画面が生成されるタイミングがある。つまり、動画投稿サービス画面の生成過程において、そのテーマの下、ダイジェスト動画が抽出された上で、連続ダイジェスト動画としてダイジェスト動画を連続再生するための連続ダイジェスト動画１００４が動画投稿サービス画面上に配置される（図１０）。
【０１０５】
また、ダイジェスト動画抽出処理を実行するタイミングとしては、他にも例えば、動画投稿サービス画面上で、ユーザにより連続ダイジェスト動画１００４上の再生ボタン１００５が押下され、投稿動画の連続ダイジェスト動画再生要求が連続ダイジェスト動画提供部１０５に送信されたタイミングなどもある（図１０）。つまり、動画投稿サービス画面上から連続ダイジェスト動画再生要求が発生するタイミングで、そのテーマの下、ダイジェスト動画が抽出された上で、連続ダイジェスト動画１００４が再生される。
【０１０６】
また、ダイジェスト動画抽出処理を実行するタイミングとしては、他にも例えば、動画投稿サービス画面上で、ユーザにより連続ダイジェスト動画１００４上の再生ボタン１００５が押下され、連続ダイジェスト動画１００４が再生中であるタイミングなどもある（図７）。連続ダイジェスト動画１００４の再生中に、同一テーマの下、新しく投稿画像が追加（投稿）されると、新しい投稿画像を含め、あらためて各々の投稿動画の付帯情報に基づいて（Ｓ６）、全投稿動画の中から、ダイジェスト動画が即座に抽出される（Ｓ７）。そして、新しく投稿画像がダイジェスト動画として抽出された場合には、新しい投稿画像を含めて、連続ダイジェスト動画１００４の再生は継続される。つまり、連続ダイジェスト動画１００４の再生中に新しく投稿画像が追加された場合、追加されたばかりのダイジェスト動画としての投稿画像が連続ダイジェスト動画１００４内に反映されて再生されうる。これにより、ユーザはリアルタイムに、追加された投稿動画を含めた連続ダイジェスト動画１００４を楽しむことが可能である。
【０１０７】
＜総括＞
以上、本発明の実施形態によれば、多数の投稿動画を、面白みのある１つのダイジェスト動画として容易に再生することが可能である。
【０１０８】
また、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【０１０９】
１        動画投稿サーバ
２        端末
３        ネットワーク
１１        ＣＰＵ
１２        ＲＯＭ
１３        ＲＡＭ
１４        入力装置
１５        出力装置
１６        通信装置
１７        ＨＤＤ
１００    動画投稿サービスシステム
１０１    動画受付部
１０２    投稿動画ＤＢ
１０３    付帯情報取得部
１０４    ダイジェスト動画抽出部
１０５    連続ダイジェスト動画提供部
【要約】
【課題】多数の投稿動画を、面白みのある１つのダイジェスト動画として容易に再生する。
【解決手段】本発明にかかる情報処理装置は、テーマを識別するテーマ識別子に関連付けて、ユーザ端末から送信される動画を受け付ける動画受付手段と、前記動画に対応付けられた付帯情報を取得する付帯情報取得手段と、同一の前記テーマ識別子と関連付けられた全動画の中から、所定の条件を満たす前記付帯情報を有する動画を抽出する動画抽出手段と、動画抽出手段により抽出された動画の連続動画を提供する動画提供手段とを有する。
【選択図】図１１【図１】
0005879403.tif 000002
【図２】
0005879403.tif 000003
【図３】
0005879403.tif 000004
【図４】
0005879403.tif 000005
【図５】
0005879403.tif 000006
【図６】
0005879403.tif 000007
【図７】
0005879403.tif 000008
【図８】
0005879403.tif 000009
【図９】
0005879403.tif 000010
【図１０】
0005879403.tif 000011
【図１１】
0005879403.tif 000012
【図１２】
0005879403.tif 000013